(57)【要約】【課題】  紙製輸送容器を利用して、商品を立体的に陳列可能な什器を提供すること。【解決手段】  上部が開口する有底筒状の輸送容器本体と、該輸送容器本体の上部開口を塞ぐキャップ状の蓋体からなる紙製輸送容器を用いた什器であって、前記輸送容器本体を用いたベース体と、該ベース体内部に挿入される補強部材と、該補強部材の上面に載置された底板と、前記ベース体の略中心部にその下端部が支持され略垂直状態で設けられた軸部材と、該軸部材の上端部に設けられたトップ部材と、前記ベース体とトップ部材の間に、ベース体とトップ部材からそれぞれ所定間隔を有して設けられた前記蓋体を用いた棚部材とから成る。【選択図】  図１
2017225591.tif 000002
【特許請求の範囲】
【請求項１】
上部が開口する有底筒状の輸送容器本体と、該輸送容器本体の上部開口を塞ぐキャップ状の蓋体からなる紙製輸送容器を用いた什器であって、前記輸送容器本体を用いたベース体と、該ベース体内部に挿入される補強部材と、該補強部材の上面に載置された底板と、前記ベース体の略中心部にその下端部が支持され略垂直状態で設けられた軸部材と、該軸部材の上端部に設けられたトップ部材と、前記ベース体とトップ部材の間に、ベース体とトップ部材からそれぞれ所定間隔を有して設けられた前記蓋体を用いた棚部材とから成る什器。
【請求項２】
ベース部材と前記棚部材の間、棚部材とトップ部材の間にはスペーサーがそれぞれ設けられていることを特徴とする請求項１に記載の什器。
【請求項３】
前記棚部材は複数個設けられ、棚部材と棚部材の間にはスペーサーが介装されていることを特徴とする請求項１又は請求項２のいずれかに記載の什器。
【請求項４】
前記スペーサーは中心部から外方向に延びる複数の端板部分を有し、前記中心部に軸部材通過孔が形成されていることを特徴とする請求項２又は請求項３のいずれかに記載の什器。
【請求項５】
前記トップ部材は、展示する商品の上部形状を模した形状に形成されていることを特徴とする請求項１乃至請求項４のいずれかに記載の什器。
【発明の詳細な説明】
【技術分野】
【０００１】
本発明は筒状の紙製輸送容器を利用した什器に関する。
【背景技術】
【０００２】
従来、輸送容器を用いて陳列するものとしては「Ａ型のダンボール箱用紙材を用いて形成される６面体形状の陳列ケース兼用ダンボール箱であって、正面板と一対の側面板との間の稜線に上端から該稜線の６０〜９５％の領域に亘って切離し誘導線を備え、前記正面板は、前記切離し誘導線の両下端の間に底辺と平行に延設する第１正面折線と、該第１正面折線の上方に該第１正面折線と前記底辺との間隔以上の間隔をおいて前記底辺と平行に延設する第２正面折線とを備え、前記一対の側面板は、前記第１正面折線の端部から当該側面板と背面板との間の稜線上端まで斜めに延設する第１側面折線を各々備え、且つ、前記各側面板に連接する側面上方フラップ片は、先端縁部に係止保持片を備え、前記背面板は、前記第１側面折線より上方の側面板及び前記側面上方フラップ片が背面側に折り返された際に、前記係止保持片が挿入係止される係止スリットを備える陳列ケース兼用ダンボール箱。」（特許文献１）が知られている。
【０００３】
しかし、このような陳列ケース兼用ダンボール箱は、陳列ケースとしてのダンボール箱に商品を陳列した状態で、販売用の棚や什器に並べられるものであり、紙製輸送用容器を用いて立体的な什器とし、その什器に立体的に商品を陳列できるものではなかった。
【先行技術文献】
【特許文献】
【０００４】
【特許文献１】特開２００５−３３５７８９号公報
【発明の概要】
【発明が解決しようとする課題】
【０００５】
本発明は以上のような従来の欠点に鑑み、紙製輸送容器を利用して、商品を立体的に陳列可能な什器を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の什器は、上部が開口する有底筒状の輸送容器本体と、該輸送容器本体の上部開口を塞ぐキャップ状の蓋体からなる紙製輸送容器を用いた什器であって、前記輸送容器本体を用いたベース体と、該ベース体内部に挿入される補強部材と、該補強部材の上面に載置された底板と、前記ベース体の略中心部にその下端部が支持され略垂直状態で設けられた軸部材と、該軸部材の上端部に設けられたトップ部材と、前記ベース体とトップ部材の間に、ベース体とトップ部材からそれぞれ所定間隔を有して設けられた前記蓋体を用いた棚部材とから成る。
【発明の効果】
【０００８】
以上の説明から明らかなように、本発明にあっては次に列挙する効果が得られる。
（１）請求項１に記載の発明においては、ベース体と軸部材を介して所定間隔を有して設けられたトップ部材と、前記ベース体とトップ部材の間に、ベース体とトップ部材からそれぞれ所定間隔を有して設けられた前記蓋体を用いた棚部材を有しているので、商品を立体的に陳列することができる。
（２）輸送容器を利用しているので、簡易かつ安価に什器を作成することができる。
（３）請求項２に記載の発明も前記（１）〜（２）と同様な効果が得られるとともに、スペーサーによって棚部材等の荷重を受けることができる。
したがって、展示商品の荷重をスペーサーで支えることができ、棚部材が破損することを防止できる。
（４）請求項３に記載の発明も前記（１）〜（３）と同様な効果が得られるとともに、棚部材が複数個設けられているので、商品をより多く陳列することができる。
（５）請求項４に記載の発明も前記（１）〜（４）と同様な効果が得られるとともに、棚部材等の荷重を受けることができ、かつ、商品の陳列スペースを大きく確保することができる。
（６）請求項５に記載の発明も前記（１）〜（５）と同様な効果が得られるとともに、棚部材が複数個設けられているので、商品をより多く陳列することができる。
【図面の簡単な説明】
【０００９】
図１乃至図５は本発明の第１の実施形態を示す説明図である。
図６乃至図８は本発明の第２の実施形態示す説明図である。
【図１】第１の実施形態の什器の正面図。
【図２】什器の平面図。
【図３】図２の３−３線断面図。
【図４】什器の分解斜視図。
【図５】商品を展示した状態の概要図。
【図６】第２の実施形態の什器の正面図。
【図７】什器の平面図。
【図８】図７の８−８線断面図。
【図９】什器の分解斜視図。
【図１０】従来の輸送容器の一例を示す分解斜視図。
【発明を実施するための形態】
【００１０】
以下、図面に示す本発明を実施するための形態により、本発明を詳細に説明する。本発明に用いられる輸送容器は、図１０で示すように、上部が開口する有底筒状の輸送容器本体２と、該輸送容器本体２の上部開口を塞ぐキャップ状の蓋体５から構成されており、本実施の形態においては、インロー構造の紙製輸送容器となっている。この紙製輸送容器は、本実施の形態においては、紙材を積層して強度が高い紙材とし、この高強度の紙材を容器状に形成したものである。なお、強度の高いダンボールを用いた輸送容器を使用してもよい。
【００１１】
なお、本発明においては、輸送容器本体２をベース体２（ここでは同一の符号を用いる）として用い、蓋体５を棚部材５（ここでは同一の符号を用いる）として用いている。
【００１２】
図１乃至図５に示す本発明を実施するための第１の形態において、１はインロー構造の紙製輸送容器を用いた什器であって、この什器１は、輸送容器本体２に相当するベース体２と、該ベース体２の略中心部にその下端部３ａが支持され略垂直状態で設けられたパイプ状の軸部材３と、該軸部材３の上端部３ｂに設けられたトップ部材４と、前記ベース体２とトップ部材４の間に、上下方向に所定間隔を有するようにスペーサー１１介して設けられた前記蓋体５に相当する棚部材５とで構成されている。
【００１３】
なお、棚部材５は、後述するように蓋体５に透孔９等を適宜に形成することによりスペーサー１１に組み合わせられている。
【００１４】
前記ベース体２は、図３、図４に示すように、本実施の形態においては、底部を有し上部が開口する略円筒形状に形成されている。もちろん、従来の輸送容器本体２が多角形の場合には、ベース体２も当然有底角筒上のものとなる。
【００１５】
このベース体２の内部の底面には、中心部に下部軸受部６を有する軸受部材７が挿入されている。この軸受部材７は薄板状で、中心部に上部に突出する円筒形状の下部軸受部６を有している。この下部軸受部６には、前記軸部材３の下端部３ａが嵌挿される。下部軸受部６と軸部材３の下端部３ａは、外嵌合又は内嵌合のいずれであってもよい。
【００１６】
また、ベース体２には、本実施の形態においては、ダンボール素材で格子状に組み合わされた補強部材８が挿入され、前記軸受部材７の上面に載置されている。この補強部材８は、その外周側面がベース体２の内周側面に略接する程度の寸法に形成されており、前記軸受部材７の軸受部６と干渉しないような格子状（本実施の形態においては、平面視略井字状）に形成されている。この補強部材８は、本実施の形態においては、ダンボール素材で形成されているが、紙製輸送容器と同様に紙材を積層して板状に形成したものを使用してもよい。
【００１７】
また、補強部材８の上端部は、ベース体２の上端部からやや下方に位置する程度の長さに形成することが好適である。
【００１８】
ベース体２の上端部からやや下方に位置する程度の長さに形成することで、ベース体２上部の周壁２ａが転び止め部を形成し、商品を展示した際に商品の脱落等を防止できる。
前記補強部材８の上面には、中央部に軸部材３が通過できる透孔９を有する底板１０が載置される。この底板１０は、薄板で前記ベース体２の内径と略同じ外径となるように形成されている。
【００１９】
この底板１０の上方には、所定間隔を有して棚部材５が設けられている。この底板１０と棚部材５との間にはスペーサー１１が介装されている。
この棚部材５は、紙製輸送容器の蓋体が用いられており、周縁が突壁状に突出する浅皿状の形状で、その中央部には透孔９が形成されている。
棚部材５の周壁５ａは底部５ｂと一体的に形成されており、周壁５ａは転び止め部となって商品を展示した際に商品の脱落等を防止できる。
【００２０】
前記棚部材５には、複数の係合片通過孔１２が形成されており、これらの係合片通過孔１２にスペーサー１１の中心部から半径外方向に所定量延びる４つの端板部分１１ａの上端部に突設された小さな係合片１３が係入される。
【００２１】
スペーサー１１は、平面視略十字形状で、その中心部には軸部材３が通過する軸部材通過部１４が形成されている。スペーサー１１をこのような形状にすることにより、上部の棚部材５に陳列された商品の荷重を受けることができると共に、商品の陳列スペースを最大限確保することができる。なお、スペーサーの形状は、平面視略Ｙ字状でもよい。
スペーサー１１の上部には、前記係合片通過孔１２を通過する凸形状の係合片１３が形成されており、スペーサー１１の下部には、前記係合片通過孔１２を通過した下方のスペーサー１１の係合片１３が係合する凹部状の係合部１５が形成されている。
【００２２】
本実施の形態においては、前記棚部材５の上方には、所定間隔を有して上部の棚部材５が設けられている。この上部の棚部材５にも係合片通過孔１２が形成されており、棚部材５と上部の棚部材５の間にもスペーサー１１が介装されている。
【００２３】
このように本実施の形態においては、棚部材５を２つ備えているが、棚部材５は１つでも良いし、３つ以上備えるものでもよい。
この上部の棚部材５の上方には、所定間隔を有してトップ部材４が設けられている。このトップ部材４にも係合片通過孔１２が形成されており、上部の棚部材５とトップ部材４の間にもスペーサー１１が介装されている。
【００２４】
トップ部材４は展示する商品の上部形状を模した形状に形成されており、本実施の形態においては、飲料容器の肩部から口部の形状に形成されている。
【００２５】
本実施の形態のトップ部材４の構成を詳細に説明すると、前記棚部材５と略同一の構成で棚部材５を上下逆さまにした支持部材１６と、この支持部材１６の上部には、平面視略十字形状で中心部に軸部材が通過する軸部材通過孔１７が形成された首支柱１８が設けられている。この首支柱１８の外周には、円筒形状の首部材１９が設けられている。
【００２６】
前記支持部材１６の上面には、その底面が支持部材１６の外径と略同一で、上面が前記首部材１９の外径と略同一で円錐管状の肩部材２０が設けられている。
【００２７】
前記首支柱１８の上部には、軸部材３の上端部３ｂが挿入される上部軸受部２１を有するキャップ部材２２が設けられている。
本実施の形態のトップ部材４はこのような構成により飲料容器の口部分の形状を模した形状となっている。
【００２８】
このようにトップ部材４を商品の上部形状を模した形状とすることで、什器１全体として展示商品を模したような形状となり、顧客の注目をあつめることができる。
【００２９】
前記軸部材３は、本実施の形態においては、紙製でパイプ状に形成されており、その下端部３ａは下部軸受部６に挿入され、透孔９、軸部材通過部１４及び軸部材通過孔１７を通過して、その上端部が上部軸受部２１に挿入されている。
【００３０】
なお、本実施の形態においては、１本の軸部材３としているが、インロー構造の軸を用いて、複数の軸を継ぎ足して軸部材３としてもよい。
【００３１】
本発明の什器１を用いて商品２３（本実施の形態においては飲料）を展示する場合には、前記底板１０及び複数の棚部材５の底部５ｂに商品２３を陳列する。この時、ベース体２の周壁２ａ及び棚部材５の周壁５ａが商品２３の転び止めとなるため、商品２３が棚部材５等から転落することを防止できる。
【００３２】
本発明では輸送容器の輸送容器本体をベース体２に、蓋体を棚部材５に用いているのでこの周壁２ａ、５ａは、輸送容器本体や蓋体に一体的に成型されているものであり、転び止めとしての強度も十分に得られる。
【００３３】
なお、棚部材５は本実施の形態においては、ベース体２と外径が同じものを用いたが、外径の異なる蓋体を棚部材５としてもよい。
【００３４】
[発明を実施するための異なる形態]
次に、図６ないし図９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３５】
図６乃至図９に示す本発明を実施するための第２の形態において、前記本発明を実施するための第１の形態と主に異なる点は、ベース体２とトップ部材４Ａとの間に１つのみ棚部材５を設けるとともに、トップ部材４Ａを飲料缶様の形状に形成した点で、このような什器１Ａにしても、前記本発明を実施するための第１の形態と同様な作用効果が得られる。
【００３６】
本実施形態のトップ部材４Ａは、円盤状でその中央部に上部軸受部２１が形成された支持部材１６Ａと、該支持部材１６Ａの上部に設けられた周縁が下方へ周壁状に突出するトップ部材本体２４とで構成されている。
【００３７】
なお、本発明の実施形態において、円筒形状の紙製輸送容器を用いてベース体や棚部材を構成しているが、多角筒状の紙製輸送容器を用いてベース体や棚部材を構成してもよい。
【００３８】
また、本発明の什器のベース体、棚部材、トップ部材にＬＥＤを取り付けて装飾してもよいし、トップ部材や棚部材の周壁、ベース体の周壁にも商品名やロゴ等を表示してもよい。
【００３９】
さらに、展示商品の重量が軽く、スペーサーを用いなくとも棚部材が商品の荷重を支持できる場合には、スペーサーを用いなくてもよい。この場合、軸部材にフランジ状の位置決め片を形成して棚部材を設置してもよい。
【産業上の利用可能性】
【００４０】
本発明は什器を製造する産業で利用される。
【符号の説明】
【００４１】
１、１Ａ：什器、                  ２：ベース体、
３：軸部材、                      ４、４Ａ：トップ部材、
５：棚部材、                      ６：下部軸受部、
７：軸受部材、                    ８：補強部材、
９：透孔、                        １０：底板、
１１：スペーサー、                １２：係合片通過孔、
１３：係合片、                    １４：軸部材通過部、
１５：係合部、                    １６、１６Ａ：支持部材、
１７：軸部材通過孔、              １８：首支柱、
１９：首部材、                    ２０：肩部材、
２１：上部軸受部、                ２２：キャップ部材、
２３：商品、                      ２４：トップ部材本体。
【図１】
2017225591.tif 000003
【図２】
2017225591.tif 000004
【図３】
2017225591.tif 000005
【図４】
2017225591.tif 000006
【図５】
2017225591.tif 000007
【図６】
2017225591.tif 000008
【図７】
2017225591.tif 000009
【図８】
2017225591.tif 000010
【図９】
2017225591.tif 000011
【図１０】
2017225591.tif 000012